(57)【要約】  ２つの構成部品の結合のための、特にねじ結合のための、安全固定部材（１０）において、安全固定部材はリング形状である。安全固定部材は、外側を一周するアウタープロフィール（１１）と内側を一周するインナープロフィール（１２）を有している。アウタープロフィール（１１）とインナープロフィール（１２）は、それぞれ多数のプロフィールユニットから形成される。アウタープロフィールのプロフィールユニットの数と、インナープロフィールのプロフィールユニットの数は、ノギス原理に基づく様々な尺度における目盛り線の数に相当し、その場合にアウタープロフィール（１１）とインナープロフィール（１２）のプロフィールユニットの数は、少なくとも１つだけ互いに異なっている。正確に１つの位置において、アウタープロフィール（１１）の１つのプロフィールユニットとインナープロフィール（１２）の１つのプロフィールユニットが正確に対向する。【選択図】図１
2018500527.tif 000002
【特許請求の範囲】
【請求項１】
２つの構成部品の結合のため、特にねじ結合のための、安全固定部材（１０；１１０；２１０；９１０；１０１０；２０１０）であって、安全固定部材（１０；１１０；２１０；９１０；１０１０）がリング形状であり、かつ外側を一周するアウタープロフィール（１１；１１１；１０１１）と内側を一周するインナープロフィール（１２；１１２）とを有し、アウタープロフィール（１１；１１１；１０１１）とインナープロフィール（１２；１１２）がそれぞれ多数のプロフィールユニットから形成される、安全固定部材において、
アウタープロフィールのプロフィールユニットの数とインナープロフィールのプロフィールユニットの数が、ノギス原理に基づく様々な尺度における目盛り線の数に相当し、かつアウタープロフィール（１１；１１１；１０１１）のプロフィールユニットの数とインナープロフィール（１２；１１２）のプロフィールユニットの数が少なくとも１だけ異なっており、かつ正確に１つの位置において、アウタープロフィール（１１；１１１；１０１１）の１つのプロフィールユニットとインナープロフィール（１２；１１２）の１つのプロフィールユニットが正確に対向する、ことを特徴とする安全固定部材。
【請求項２】
アウタープロフィール（１１；１１１）のプロフィールユニットの数が、インナープロフィール（１２；１１２）のプロフィールユニットの数よりも少なく、あるいは、
アウタープロフィール（１１；１１１）のプロフィールユニットの数が、インナープロフィールのプロフィールユニットの数よりも大きい、ことを特徴とする請求項１に記載の安全固定部材。
【請求項３】
アウタープロフィール（１１；１１１）及び／又はインナープロフィール（１２；１１２）のプロフィールユニットが波形である、ことを特徴とする請求項１又は２に記載の安全固定部材。
【請求項４】
プロフィールユニットのより少ない数が少なくとも９であり、プロフィールユニットのより多い数が少なくとも１０である、ことを特徴とする請求項１〜３のいずれか１項に記載の安全固定部材。
【請求項５】
アウタープロフィール（１１；１１１）のプロフィールユニットとインナープロフィール（１２；１１２）のプロフィールユニットの数が正確に１つ異なる、ことを特徴とする請求項１〜４のいずれか１項に記載の安全固定部材。
【請求項６】
プロフィールユニットのより少ない数が１７であり、プロフィールユニットのより多い数が１８である、ことを特徴とする請求項５に記載の安全固定部材。
【請求項７】
アウタープロフィール（２０１１）とインナープロフィール（２０１２）が、安全固定部材（２０１０）の異なる平面上で一周している、ことを特徴とする請求項１〜６のいずれか１項に記載の安全固定部材。
【請求項８】
２つの構成部品の結合のため、特にねじ結合のための、安全固定部材（２０１０）であって、安全固定部材が第１のプロフィール（２０１１）と第２のプロフィール（２０１２）を有し、それらがそれぞれ安全固定部材の異なる平面上の異なる円周上で一周しており、第１のプロフィール（２０１１）と第２のプロフィール（２０１２）がそれぞれ多数のプロフィールユニットから形成され、かつ第１のプロフィール（２０１１）のプロフィールユニットの数と第２のプロフィール（２０１２）のプロフィールユニットの数がノギス原理に基づく様々な尺度における目盛り線の数に相当し、かつ第１のプロフィール（２０１１）のプロフィールユニットの数と第２のプロフィール（２０１２）のプロフィールユニットの数が、少なくとも１つだけ異なっており、かつ正確に１つの位置において、第１のプロフィール（２０１１）の１つのプロフィールユニットと第２のプロフィール（２０１２）の１つのプロフィールユニットが正確に対向する、安全固定部材。
【請求項９】
第１の構成部品（２０；１２０；２２０；７２０；１０２０；２０２０）又は第１の構成部品配置と第２の構成部品（３０；１３０；２３０；９３０；２０３０）又は第２の構成部品配置とを結合するための安全固定システム（５００；９００）であって、第１の構成部品（２０；１２０；２２０；７２０；１０２０；２０２０）又は第１の構成部品配置が、外側を一周するプロフィール（２１；１２１；２２１；７２１；１０２１）を備えた領域を有し、かつ第２の構成部品（３０；１３０；２３０；９３０；２０３０）又は第２の構成部品配置（１０３０、１０４０）が、内側を一周するプロフィール（３２；１３２；２３２；９３２；１０３２）を備えた領域を有し、かつ構成部品が結合された状態において第１の構成部品（２０；１２０；２２０；７２０；１０２０；２０２０）あるいは第１の構成部品配置のプロフィール（２１；１２１；２２１；７２１；１０２１）と第２の構成部品（３０；１３０；２３０；９３０；２０３０）又は第２の構成部品配置（１０３０、１０４０）のプロフィール（３２；１３２；２３２；９３２；１０３２）との間にリング形状の安全固定間隙（１６０；２６０；１０６０）が形成され、さらに安全固定間隙（１６０；２６０；１０６０）内に配置するための請求項１〜８のいずれか１項に記載の安全固定部材（１０；１１０；２１０；９１０；１０１０；２０１０）を有している、安全固定システム。
【請求項１０】
結合がねじ結合であって、第１の構成部品（２０；１２０；２２０；７２０；１０２０；２０２０）又は第１の構成部品配置が第１のねじ（２３；１２３；２２３；７２３；１０２３）を有し、第２の構成部品（３０；１３０；２３０；９３０；２０３０）又は第２の構成部品配置（１０３０；１０４０）が第２のねじ（３３）を有し、かつ構成部品を螺合してまとめた状態において第１の構成部品（２０；１２０；２２０；７２０；１０２０；２０２０）又は第１の構成部品配置のプロフィール（２１；１２１；２２１；７２１；１０２１）と第２の構成部品（３０；１３０；２３０；９３０；２０３０）又は第２の構成部品配置（１０３０；１０４０）のプロフィール（３２；１３２；２３２；９３２；１０３２）との間に、安全固定部材（１０；１１０；２１０；９１０；１０１０；２０１０）を挿入するための安全固定間隙（１６０；２６０；１０６０）が形成される、ことを特徴とする請求項９に記載の安全固定システム。
【請求項１１】
第１の構成部品（２０；１２０；２２０；７２０；１０２０）又は第１の構成部品配置の外側を一周するプロフィール（２１；１２１；２２１；７２１；１０２１）が、安全固定部材（１０；１１０；２１０；９１０；１０１０）のインナープロフィール（１２；１１２）のプロフィールユニットの数に相当する数のプロフィールユニットを有し、第１の構成部品又は第１の構成部品配置の外側を一周するプロフィールが、安全固定部材のインナープロフィールに対して正反対である、ことを特徴とする請求項９又は１０に記載の安全固定システム。
【請求項１２】
第２の構成部品（３０；１３０；２３０；９３０）又は第２の構成部品配置（１０３０、１０４０）の内側を一周するプロフィール（３２；１３２；２３２；９３２；１０３２）が、安全固定部材（１０；１１０；２１０；９１０；１０１０）のアウタープロフィール（１１；１１１；１０１１）のプロフィールユニットの数に相当する数のプロフィールユニットを有しており、第２の構成部品又は第２の構成部品配置の内側を一周するプロフィールが、安全固定部材のアウタープロフィールに対して正反対である、ことを特徴とする請求項９〜１１のいずれか１項に記載の安全固定システム。
【請求項１３】
安全固定システムがさらに、安全固定部材（１０；１１０；２１０；９１０；１０１０）を安全固定するための少なくとも１つの手段（２５、７０；１２４、１７０；２２４、２７０；９７０；１０７０）を有している、ことを特徴とする請求項９〜１２のいずれか１項に記載の安全固定システム。
【請求項１４】
回転運動するために設けられている構成部品（１５０；２５０；９５０）を固定するためのねじ結合を安全固定するため、特に車両における車輪のためのセントラルロックを安全固定するために、請求項９〜１３のいずれか１項に記載の安全固定システム（５０００；９００）を使用すること。
【請求項１５】
ホイールハブ（８２０；１０３０；１０４０）またはホイールハブアダプタ（７２０）において、
ホイールハブ又はホイールハブアダプタが、請求項９〜１３のいずれか１項に記載の安全固定システム内で使用するように整えられている、ことを特徴とするホイールハブ又はホイールハブアダプタ。
【請求項１６】
テンションナット（３０；１３０；２３０；９３０）において、
テンションナットが、請求項９〜１３のいずれか１項に記載の安全固定システム内で使用するように整えられている、ことを特徴とするテンションナット。
【請求項１７】
ボルト（１０２０）において、
ボルトが、請求項９〜１３のいずれか１項に記載の安全固定システム内で使用するように整えられている、ことを特徴とするボルト。
【発明の詳細な説明】
【技術分野】
【０００１】
本発明は、２つの構成部品の結合のため、特にねじ結合のための、安全固定部材と安全固定システム及びこの安全固定システムの好ましい使用に関するものである。
【背景技術】
【０００２】
機械建造の全ての領域において、ねじ結合が使用される。例えば自動車の車輪又はリムは、通常、多くのホイールナット又はホイールねじによって車輪支持体に固定される。自動車車輪用の中央の１つのナットのみによるセントラルロックも知られており、それは主としてスポーツカーにおいて、あるいはモータースポーツにおいて、使用される。特に回転する構成部品に関連して使用される、ねじ結合における問題は、特に長期間使用した場合にねじ結合が緩む可能性があることである。例えば、自動車車輪との関連において、これは著しい安全リスクを表す。
【０００３】
この問題性に関して、例えば自動車建造においていわゆる開きボルトが使用される。その場合に取り付け後には、開きボルトの可塑変形によって、ねじ結合内でいわゆる嵌まり込みが生じるので、この種の螺合は、通常は付加的な回動防止なしで使用される。この種のねじ結合を取り外した後に、通常、開きボルトはもはや再使用できない。
【０００４】
ある特許文献では、セントラルロックを安全固定するための保持ボルトが記述されている（例えば、特許文献１参照。）。その場合に自動車車輪のホイールディスクがセントラルロック部材としてのセントラルナットによってハブアダプタに螺合される。セントラルナットを安全固定するために、ハブアダプタの中心軸が内ねじを有し、保持ボルトをその内ねじ内へ螺合することができる。
【０００５】
また、別の特許文献からは、車輪セントラルロックが明らかにされ（例えば、特許文献２参照。）、それにおいてセントラルナットがハブの外ねじ上に螺合されることにより、車輪がハブ上に固定される。ここでも安全固定部材が設けられており、その安全固定部材はハブの内ねじ内へ螺合され、かつそのヘッド領域がセントラルナットを覆うのでこの安全固定部材は同時に盗難防止としても用いることができる。
【０００６】
さらに別の特許文献では、自動車のホイールハブのための固定システムが記載されている（例えば、特許文献３参照。）。ホイールハブは、ベースボディとアタッチメントを有し、その場合にアタッチメントがナットのための外ねじを有している。
【０００７】
さらに別の特許文献では、道路車両用のユニットホイールシステムが明らかにされる。その場合にホイールリムにハブアダプタが設けられており、そのハブアダプタがねじ及びセンタリング部材によって車軸ハブあるいはブレーキディスク又はブレーキドラムに取り付け可能である点が開示されている（例えば、特許文献４参照。）。ハブアダプタは、ホイールリムを通って延びる、ねじを備えた円筒状の部分を有しており、ハブアダプタにホイールリムを固定するために、そのねじ上にセントラルロックナットが螺合可能である。
【０００８】
また別の特許文献には、自動車に車輪を固定するためのセントラルロック用の取り付け工具を対象としている点が開示されている（例えば、特許文献５参照。）。その場合にセントラルロックはその長さの一部にわたって外ねじを備えた軸ピンと、その上に螺合可能なホイールナットとを有している。ホイールナットには、ねじ安全固定部材が対応づけられており、そのねじ安全固定部材はばね負荷に抗して外すことのできる阻止手段を有している。
【０００９】
また別の特許文献には、支持体上に構成部品を固定するためのセントラルロック部材が記述している（例えば、特許文献６参照。）。セントラルロック部材は、支持体上に螺合可能であって、その場合にセントラルロック部材は、セントラルロック部材を操作するための工具を係合させるための形状結合手段を有している。
【先行技術文献】
【特許文献】
【００１０】
【特許文献１】独国特許出願公開第４２０５５７９（Ａ１）号明細書
【特許文献２】独国特許出願公開第１０２０１１０５１９８０（Ａ１）号明細書
【特許文献３】独国特許出願公開第１０２０１１１１５５３４（Ａ１）号明細書
【特許文献４】独国実用新案第９３１３２４４（Ｕ１）号明細書
【特許文献５】独国特許出願公開第１０１０６１４０（Ａ１）号明細書
【特許文献６】独国特許出願公開第１０２０１３００２４４３（Ａ１）号明細書
【発明の概要】
【発明が解決しようとする課題】
【００１１】
安全固定部材を形成するためのこの考え方にもかかわらず、ねじ結合を長期間信頼できるように安全固定することは、十分に解決されていない。したがって本発明の課題は、ねじ結合を安全固定するための改良された安全固定部材及び改良された安全固定システムを提供することである。
【課題を解決するための手段】
【００１２】
発明の利点
この課題は、独立請求項から明らかにされるような安全固定手段と安全固定システムによって解決される。この安全固定部材及び安全固定システムの好ましい形態が、従属請求項の対象である。
【００１３】
本発明に係る安全固定部材は、安全固定部材がリング形状であることを、特徴としている。安全固定部材は、外側を一周するアウタープロフィールと内側を一周するインナープロフィールを有している。アウタープロフィールもインナープロフィールも、それぞれ多数のプロフィールユニット（ＰＦＥ）によって形成される。本発明によれば、アウタープロフィールのプロフィールユニットの数とインナープロフィールのプロフィールユニットの数は、ノギス原理に基づく様々な尺度における目盛り線の数に相当し、その場合にアウタープロフィールのプロフィールユニットの数とインナープロフィールのプロフィールユニットの数は、互いに対して少なくとも１つだけ異なっている。その場合にノギス原理は、プロフィールユニットの様々な数がそれぞれ円周上に均一に分配されるようにして、実現される。その場合に安全固定部材の周面上の正確に１つの位置において、アウタープロフィールの正確に１つのプロフィールユニットとインナープロフィールの正確に１つのプロフィールユニットが正確に対向する。
【００１４】
本発明に係る安全固定部材は、特に安全固定システムとの関連において使用され、その安全固定システムは安全固定部材の他に、第１のねじ、特に外ねじを備えた第１の構成部品又は第１の構成部品配置と、第２のねじ、特に内ねじを備えた第２の構成部品又は第２の構成部品配置とを有している。第１のねじと第２のねじの間の結合は、本発明に係る安全固定部材によって確保される。そのために第１の構成部品または第１の構成部品配置は外側を一周するプロフィールを備えた領域を有し、第２の構成部品又は第２の構成部品配置は内側を一周するプロフィールを備えた領域を有しており、その場合に螺合してまとめた状態において第１の構成部品又は第１の構成部品配置のプロフィールと第２の構成部品または第２の構成部品配置のプロフィールとの間にリング形状の安全固定間隙が形成され、その安全固定間隙は外部から接近できる。そのために第１の構成部品又は第１の構成部品配置の外周は、外側を一周するプロフィールを有する領域内において、好ましくは第１のねじ、特に外ねじを有する領域の外周よりも小さく選択されている。本発明に係る安全固定部材は、第１と第２の構成部品（もしくは構成部品配置）の間のリング形状の安全固定間隙の内部に配置（導入）するために設けられている。しかし、本発明に係る安全固定部材は、２つの構成部品（あるいは構成部品配置）の間のねじ結合を確保するためだけでなく、２つの構成部品の他の種類の結合のため、例えば差し込み結合を確保するためにも、使用することができる。
【００１５】
「構成部品配置」という表現は、該当する構成部品がいくつかに分かれて構成できることを、表している。以下において第１の構成部品又は第２の構成部品が参照される場合に、それにはそれぞれ第１の構成部品配置もしくは第２の構成部品配置も含めることができる。
【００１６】
プロフィールは、好ましくは第１の構成部品の外側を一周するプロフィールが、安全固定リングのインナープロフィールのＰＦＥの数に相補的に相当する数のプロフィールユニット（ＰＦＥ）を有するように、形成されている。第２の構成部品の内側を一周するプロフィールは、好ましくは安全固定部材のアウタープロフィールのＰＦＥの数に相補的に相当する数のＰＦＥを有している。その結果、第１の構成部品のアウタープロフィールのＰＦＥの数と、第２の構成部品のインナープロフィールのＰＦＥの数が異なり、その場合に数は少なくとも１だけ、そして好ましくは正確に１だけ異なる。それぞれ第１の構成部品に関する第２の構成部品の位置決めにしたがって、螺合された状態において、これらのプロフィールの間に形成される安全固定間隙の幾何学配置もしくは具体的な形状が、異なるように形成される。すなわち、それぞれボルトねじがどのくらいきつく締められるか、あるいはあまりきつくないかに応じて、インナープロフィールに対する関係におけるアウタープロフィールの位置は異なり、かつ固定的に定められていない。プロフィールの間に形成される安全固定間隙の幾何学配置は、ある程度可変であって、通常は予測できない。安全固定部材を取り付けるために、安全固定部材が安全固定間隙内へ導入され、その場合に安全固定部材は、正確な嵌め合いで係止が行われるまでの間、取り付けられ、回動されて、再び取り付けられる。正確な嵌め合いで係止されるまでこのように回転させることは、形成される安全固定間隙の幾何学配置が詳細に予測できないことにより、安全固定部材が１つの位置において実際に正確な嵌め合いで形成されるので、必要である。安全固定部材が安全固定間隙内へ正確な嵌め合いで係止された場合に、第１と第２の構成部品の間のねじ結合（又は同様に他の結合）がロックされるので、例えば揺れなどによって作動されることがあり得る、結合の緩みは、もはや生じることはない。
【００１７】
２つの構成部品の間の結合をロックする場合の本発明に係る安全固定部材の驚くべき効果は、ノギス原理によって説明される。ノギス原理の既知の適用は、キャリパーゲージであって、それにおいて異なる尺度を有する、もしくは異なる長さ単位を有する２つの測定スケールが互いに重ねられている。尺度を適切に選択する場合に、測定すべき長さがきわめて正確に定められ、その場合に細かく定めるために、異なる尺度の２つの目盛り線が互いに当接することが考慮される。適切なやり方で、本発明に係る安全固定システムの安全固定間隙の外側と内側が異なる数のＰＦＥによって形成される。その場合にＰＦＥの異なる数は、ノギス原理に基づく異なる尺度又は長さ単位に相当する。安全固定間隙内部の１つの所定の位置においてのみ、安全固定間隙の個々のＰＦＥが互いに対して正確に対向する。この位置が、安全固定部材を正しい嵌め合いで係止することの責任を負う。
【００１８】
以下、ノギス原理と本発明のためのその適用について、さらに詳しく説明する。キャリパーゲージのためのノギス原理の既知の適用においては、デシマルプレースを読み出すために、固定のメインスケール（いわゆる分度弧）とスライドさせるべきアンダースケール（いわゆるノギス）が設けられている。アンダースケールを用いて、メインスケールの最も細かい分割よりも小さい線長さが読み取られる。ノギスの長さ単位は、分度弧の長さ単位に比較して短縮されている。この種のキャリパーゲージによる測定は、分度弧上の、したがってメインスケール上の１つの目盛り線に正確に対向する、正確に１つの目盛り線がノギス上に存在することを、利用している。ノギス原理の他の適用は、いわゆるノギスコネクタである。これは、組み立て技術に基づく部品であって、それにおいて２つのバーに異なる数の穴が設けられている。その場合に穴が、ノギス原理に基づく異なるスケールに相当し、その場合にバーの互いに対する方向付けに応じて所定の穴が重なり合い、かつボルト又は類似のものによって互いに結合することができる。
【００１９】
本発明においては、リング形状の安全固定部材のために、ノギス原理に基づく異なるスケールが利用され、その安全部材において異なる直径を有する２つの異なる同心の円周上に異なるスケールがプロフィールとして設けられている。その場合に第１のプロフィール（外側）のため、及び第２のプロフィール（内側）のために、安全固定部材の円周（３６０°）上に多数のプロフィールユニット、例えば波、が均一に分配され、その場合に第１の一周するプロフィール（アウタープロフィール）のプロフィールユニットの数と、第２の一周するプロフィール（インナープロフィール）のプロフィールユニットの数は、少なくとも１つだけ、好ましくは正確に１つだけ異なる。例えばアウタープロフィールにおいて１８の波が円周上に分配される場合に（間隔はそれぞれ２０．００°）、インナープロフィールの場合には円周上に１７の波が分配される（間隔２１．１８°）。これらの波に通し番号をつけるとすると、例えば第１の位置において波が正確に対向する。残りの全ての波は、多かれ少なかれ互いに対して変位している。この例におけるアウタープロフィールがノギス（波の間のより小さい間隔）と称され、インナープロフィールが分度弧（波の間のより大きい間隔）と称される。この安全固定部材によって互いに対するその結合（例えばねじ結合）がロックされるべき構成部品は、それぞれ正反対の対応するプロフィールを有している。例えばテンションナットがボルト（例えばホイールハブ）又は同種のものの上に固定される場合に、テンションナットは、安全固定部材のノギスに対応する、１８の正反対の波を備えた内側を一周するプロフィールを有する。ホイールハブは、安全固定部材の分度弧に正反対のやり方で相当する、１７の波を備えた外側を一周するプロフィール有している。テンションナットがホイールハブ上に、例えばトルクレンチによって螺合される場合に、テンションナットの内側を一周するプロフィールの１８の波とホイールハブの外側を一周するプロフィールの１７の波が、トルクがオフになることによって予測できない位置で互いに対して「停止」し、その場合に、上述したキャリパーゲージと比較可能に、原理において常に正確に１対の波もしくは１対のプロフィールユニットが予測できない箇所において正確に対向する（同時性）。本発明によれば、安全固定部材において正確に１対のプロフィールユニットが対向するので、安全固定部材はこの位置に適切に挿入することができ、その後係止され、それによって２つの構成部品の結合が安全固定されて、もはやずれることはない。安全固定部材の適合する位置は、実際においては、安全固定部材が、ぴったりと合うまでの間、取り付けられ、回動されて、再び取り付けられることによって、見いだされる。実際においては、安全固定部材が挿入されて、係止される常に１つの位置が実際に生じることが明らかにされている。したがって本発明に係る安全固定部材のこの驚くべき効果は、ノギス原理に基づいており、かつ、内側と外側でプロフィールユニットの数が少なくとも１つ異なっており、その場合に内側の１つのプロフィールユニットと外側の１つのプロフィールユニットが正確に対向することによって、実現される。このシステムは、細かい調整可能性に関して限定されておらず、実際において無段階に調節可能である。原理的には、プロフィールの数の増大によって、微調整可能性は無限に追求することができ、その場合に実際においては、特に製造可能性に関する実際的な限界が設定される。実際において、例えば１８と１７のプロフィールユニットの使用が実証されており、それは、製造可能性に関して完全に十分である。本システムは、ねじピッチにも全く関係しない。というのは、各任意の周位置においてプロフィールユニットの完全に等しいこと（同時性）を生じさせることができるからである。さらに本システムは、ねじ結合に限定されるものでもない。２つの構成部品の他の種類の結合のためにも使用することができる。例えば、本発明に係る安全固定部材は、結合すべき適切な構成部品に上述したプロフィールが形成されている限りにおいて、差し込み結合のために使用することもできる。
【００２０】
表現を変えると、本発明はある意味においてノギス原理の同心の適用であって、ノギス原理によって２つの構成部品を安全固定部材（阻止部材）を用いて原理的に互いに対して任意の位置にロックすることができる。その場合にノギス原理は、少なくとも１つのプロフィールユニットだけ異なる、安全固定部材の同心のアウタープロフィールとインナープロフィールによって実現される。ロックすべき構成部品の適切な（正反対の）プロフィールと協働して、この適用においてノギス原理の利点が示され、その構成部品の付与形状が安全固定間隙を形成し、その中へ安全固定部材が挿入される。安全固定間隙は、ロックすべき構成部品の間に形成され、その場合に安全固定間隙のプロフィールは、安全固定部材のプロフィールに正反対のやり方で相当する。その場合にノギス原理によって、安全固定部材は所定の箇所において正確な嵌め合いで係止することができ、したがって構成部品の互いに対する相対移動が確実に阻止されて、構成部品の結合がロックされる。その場合にノギス原理は、安全固定部材のボディ特徴として現れる。というのは、アウタープロフィールがノギス（個々のプロフィールユニットの間の間隔がより小さい）に、インナープロフィールが分度弧（プロフィールユニット間の間隔がより大きい）に相当し、あるいは同心的に逆にも相当するからである。ノギス原理によれば、キャリパーゲージの考え方から生じるように、常に正確に１対のプロフィールユニットが対向する。本発明によれば、安全固定部材のアウタープロフィールとインナープロフィールは、ロックすべき構成部品によって形成される安全固定間隙において対応するものを見いだす。正反対の対応によって、構成部品の互いに対する任意の位置において、常に安全固定間隙が形成されることが可能であって、その安全固定間隙が形成され、その中へ安全固定部材を係止することができる。安全固定間隙の具体的な幾何学配置は、構成部品の互いに対する位置に従って、原理的に常に異なって見える。というのは、安全固定部材の外側と内側のプロフィールは、構成部品の互いに対する位置に従って、互いに対して様々な位置で「停止する」からである。その場合に安全固定間隙の全ての可能な幾何学配置は、適切な位置において挿入することができる安全固定部材によって形成される。ノギス原理は、安全固定部材を係止することができる、常に１つの位置が生じることを、可能にする。
【００２１】
安全固定部材のアウタープロフィールは、安全固定部材の外側、したがって外側のジャケット面を一周している。内側を一周するインナープロフィールは、安全固定部材の内側、したがって内側のジャケット面を一周している。その場合に、アウタープロフィール及び／又はインナープロフィールがリング形状の安全固定部材の外側及び／又は内側のジャケット面の部分領域のみを覆っていると、効果的である。特に、リング形状の安全固定部材の下方の末端側の領域のみが、アウタープロフィールとインナープロフィールによって覆われるようにすることができる。安全固定部材は、ある意味においてカラーを有しており、そのカラーに本発明に係るアウタープロフィールとインナープロフィールが設けられている。リング形状の安全固定部材の他の末端側の領域は、外側を一周する、周面の大きいジャケット面を有することができ、そのジャケット面には本発明に係るプロフィールは設けられていない。この領域は、例えば滑らかに、あるいは小さい波状起伏又はローレットを形成することができる。波状起伏、ローレット又は類似のものは、このように形成されている安全固定部材は手動で取り付けるため、あるいは操作器具を用いて取り付けるためによりよくグリップ可能かつ操作可能である、という利点を有している。
【００２２】
好ましくは、取り付けられた状態において安全固定部材を確保するための１つ又は複数の手段が設けられており、例えば第１の構成部品が（付加的な）内ねじを有することができるので、安全固定部材を取り付けた後に安全固定部材自体を他の安全固定ねじによって確保することができる。他の形態において、第１の構成部品は一周する切り欠きを有することができ、その切り欠きが安全固定システムを組みまとめた状態において、取り付けられた安全固定部材に隣接するので、安全固定部材は通常の溝リング又は安全固定リングによって軸方向に位置確保して、固定することができる。安全固定部材を確保するための他の可能性は、例えばピン又は割りピンであって、それらはそれぞれ適用場合に応じて使用することができる。
【００２３】
互いに対するその結合が確保されるべき構成部品のそれぞれ種類と構造に応じて、本発明に係る安全固定部材と安全固定システムは、異なるように形成することができる。例えば、回転する構成部品が軸又はアダプタ上にナットによって固定される場合に、例えば内側に位置する構成部品を安全固定することができる。他の場合においては、外側に位置する構成部品を安全固定することができる。さらに、一般的に、ボルトを本発明に係る安全固定部材によって安全固定することが、可能である。各場合において、安全固定部材のアウタープロフィールのＰＦＥの数は、インナープロフィールのＰＦＥの数とは異なる。その場合に、アウタープロフィールのＰＦＥの数か、あるいはインナープロフィールのＰＦＥの数を大きくすることが、可能である。
【００２４】
安全固定部材の特に好ましい形態において、安全固定部材のアウタープロフィール及び／又はインナープロフィールのＰＦＥは波形又はほぼ波形に形成されている。ＰＦＥの波形は、本発明に係る安全固定部材の製造プロセスに関して特別な利点を有している。しかしＰＦＥは、原理的に任意の他の幾何学配置を有することもでき、例えばプロフィールは菱形、くさび形状あるいはジグザグ形状又は混合形として実現することができる。さらに、アウタープロフィールとインナープロフィールのＰＦＥは、等しく形成する必要はない。アウタープロフィールの形状とインナープロフィールのそれが、ＰＦＥの数に関係なく、そして形状が異なることも、まったくもって可能である。ＰＦＥの形状は、特に安全固定部材及び安全固定部材の残りのコンポーネントの製造可能性に適合させることができる。特に製造のための可能性は、安全固定部材の寸法設計にも依存している。
【００２５】
安全固定部材のアウタープロフィールとインナープロフィールのＰＦＥの数は、本発明によれば、少なくとも１つだけ異なっている。例えば、プロフィールユニットの少ない数が少なくとも９であり、プロフィールユニットの多い数が少なくとも１０であり、例えば正確に９と１０とすることができる。他の例においては、プロフィールユニットの少ない数を例えば１５とし、プロフィールユニットの多い数を１８とすることができる。プロフィールユニットの他の数と差も、可能である。実際においては、正確に１の差が特に好ましいことが明らかにされている。特に好ましい実施例において、ＰＦＥの数は１７と１８であり、例えば安全固定部材のアウタープロフィールにおいてＰＦＥが１８であり、インナープロフィールにおいてはＰＦＥは１７である。
【００２６】
上ですでに説明したように、プロフィールユニットの数と形状は、それぞれの適用場合に従い、かつ安全固定システムの寸法設計及びそれと結びついた製造可能性に従って適合させることができる。本発明に係る安全固定システムのプロフィール構造は、例えばフライス技術により、あるいはプラスチック鋳造、特に射出成形、金属鋳造、３Ｄプリント、鍛造、打ち抜き、プレス、レーザー、研磨又は除去によって、形成することができる。
【００２７】
本発明に係る安全固定部材を簡単に取り付けるために、安全固定部材のアウタープロフィールとインナープロフィールが、第１と第２の構成部品の外側を一周するプロフィール及び内側を一周するプロフィールと協働して、第１と第２の構成部品の間に形成される安全固定間隙内へ安全固定部材を挿入する場合に軽いあそびを可能にすると、効果的である。したがって構成部品は、高い精度の位置取り付けが実現されず、部品が互いに対して少しスライドしてかみ合うように、形成されなければならない。製造許容誤差は、好ましくはテレスコープパイプの部材におけるあそび嵌めと比較可能に、あそび嵌め（軸−、孔＋）が得られるように、選択される。
【００２８】
本発明に係る安全固定部材の他の形態において、安全固定部材のアウタープロフィールとインナープロフィールは、安全固定部材の２つの異なる平面上に位置している。したがってアウタープロフィールとインナープロフィールは、安全固定部材の異なる平面上のそれぞれ異なる円周上で一周する、第１のプロフィールと第２のプロフィールであって、その場合に１つの円周は外側に、他の円周はずっと内側に延びている。その場合に安全固定部材は、原理的にある程度、段上に配置された、リング形状に一周するプロフィールを有する円いディスクとして形成されているので、この実施形態も、リング形状である。この形態においても、第１のプロフィールと第２のプロフィールはそれぞれ多数のプロフィールユニットから形成され、その場合に第１のプロフィールのプロフィールユニットの数と第２のプロフィールのプロフィールユニットの数は、ノギス原理に基づく異なる尺度における目盛り線の数に相当し、かつその場合に第１のプロフィールのプロフィールユニットの数と第２のプロフィールのプロフィールユニットの数が少なくとも１だけ異なっており、かつその場合に正確に１つの位置において、第１のプロフィールの１つのプロフィールユニットと第２のプロフィールの１つのプロフィールユニットが正確に対向する。
【００２９】
本発明は、さらに、第１の構成部品又は第１の構成部品配置と第２の構成部品又は第２の構成部品配置の結合のための安全固定システムを有しており、その場合に第１の構成部品又は第１の構成部品配置は外側を一周するプロフィールを備えた領域を有しており、かつその場合に第２の構成部品又は第２の構成部品配置は内側を一周するプロフィールを備えた領域を有している。構成部品が結合された状態において、第１の構成部品又は第１の構成部品配置のプロフィールと第２の構成部品又は第２の構成部品配置のプロフィールとの間に、リング形状の安全固定間隙が形成され、その中へ、安全固定システムの構成要素としての上述した安全固定部材を挿入することができる。リング形状の安全固定部材は、構成部品の内側と外側を一周するプロフィールが、構成部品が組み合わされた状態において階段状に配置されるように、形成することもできるので、２つの平面上に配置されたプロフィールを有する安全固定部材を挿入することができる。
【００３０】
本発明に係る安全固定システムの２つの構成部品又は構成部品配置の結合は、好ましくはねじ結合であって、その場合に第１の構成部品（又は構成部品配置）が第１のねじ、特に外ねじを有し、第２の構成部品（又は構成部品配置）が第２のねじ、特に内ねじを有している。第１の構成部品と第２の構成部品は、これらのねじによって螺合してまとめることができる。第１の構成部品は外側上を、したがって外側を一周するプロフィールを備えた領域を有している。第２の構成部品は内側上を、したがって内側を一周するプロフィールを備えた領域を有している。螺合してまとめた状態において、第１の構成部品のプロフィールと第２の構成部品のプロフィールの間にリング形状の安全固定間隙が形成され、その安全固定間隙は外部から接近することができる。さらに、安全固定システムは、上述した安全固定部材を有しており、その場合に安全固定部材はリング形状であって、外側を一周するアウタープロフィールと内側を一周するインナープロフィールを有している。アウタープロフィールもインナープロフィールも、それぞれ多数のプロフィールユニット（ＰＦＥ）によって形成されており、その場合にＰＦＥの数が少なくとも１つ異なっており、かつ正確に１つの内側のプロフィールユニットと正確に１つの外側のプロフィールユニットが正確に対向する。この安全固定部材は、上述したようにして安全固定間隙内へ配置するために設けられている。
【００３１】
好ましくは、第１の構成部品の外側を一周するプロフィールのＰＦＥの数は、安全固定部材のインナープロフィールのＰＦＥの数に正確に相当し、その場合に第１の構成部品（又は第１の構成部品配置）の外側を一周するプロフィールは、安全固定部材のインナープロフィールに対して正反対である。さらに、第２の構成部品の内側を一周するプロフィールのＰＦＥの数は、安全固定部材のアウタープロフィールのＰＦＥの数に正確に相当し、その場合に第２の構成部品（又は第２の構成部品配置）の内側を一周するプロフィールは、安全固定部材のアウタープロフィールに対して正反対である。したがって安全固定部材のインナープロフィールは、第１の構成部品の外側を一周するプロフィールに対して相補的である。安全固定部材のアウタープロフィールは、第２の構成部品の内側を一周するプロフィールに対して相補的である。第１の構成部品は、例えば一般的に、支持体、例えば軸、軸端部、ハブ又はアダプタ、例えばハブアダプタとすることができる。第２の構成部品は、ナット、例えばテンションナット又は締め付け用ナットとすることができる。
【００３２】
本発明に係る安全固定システムの特に好ましい形態において、安全固定システムは、さらに、取り付けられた状態において安全固定部材を確保するための少なくとも１つの手段を有している。この手段についてのさらなる詳細に関して、そして安全固定システムの残りの特徴についてのさらなる詳細に関しては、上の説明を参照することができる。
【００３３】
さらに、本発明は、例えば回転運動のために設けられている構成部品を固定するために設けられたねじ結合を確保するために、本発明に係る安全固定システムを使用することを含んでいる。特に回転する構成部品においては、それと結びついた運動によって時間と共にねじ結合のゆるみがもたらされることがある。これは、本発明に係る安全固定システムによって回避される。本発明に係る安全固定システムの使用についての特に好ましい例は、車両、特に自動車における車輪のための、特にホイールハブ又はホイールハブアダプタに関連する、セントラルロックの安全固定である。この種のセントラルロックは、特に回転負荷を受けるので、ここで本発明に係る安全固定システムは、大きな利点をもって使用することができる。ホイールナット又はホイールボルトによる自動車車輪の通常の固定のためにも、本発明に係る安全固定システムは効果的に使用することができる。さらに、本発明に係る安全固定システムは、一般に、ボルトを安全固定するためにも使用することができる。ボルトのために本発明に係る安全固定システムを使用する場合には、例えばボルトを伸張ボルトとして形成することを省くことができる。それは、伸張ボルトとは異なり、この種のボルトは原理的に任意に繰り返し使用することができる、という利点を有している。しかし、本発明に係る安全固定システムは、伸張ボルトにおいて付加的な安全固定として使用することもできる。さらに、本発明に係る安全固定システムは、原理的に、全ての種類のねじ結合を安全固定するのに適している。同システムは、機械建造の種々の領域内で使用することができる。その例は、一般的に、例えば車両建造、航空機建造との関連における、あるいは風力設備、船舶スクリュー又はベンチレータにおける、駆動軸とトランスミッション軸である。一般的に、本発明に係る安全固定システムもしくは本発明に係る安全固定部材は、然るべき安全固定システムの構成部品として整えられた、全てのねじ結合を機械的に安全固定するのに適している。特に、本発明に係る安全固定システムは、ねじ結合を機械的に安全固定するのに適しており、そのねじ結合においては、ねじ結合を介して結合された構成部品の取り付けられた位置は、予測できるように定められておらず、取り付けられた状態における構成部品の互いに対する位置は、例えばねじ結合を引き締める場合のトルクに依存している。
【００３４】
そして、本発明は、それぞれ本発明に係る安全固定システム内で使用するように整えられた、ホイールハブ又はホイールハブアダプタまたはボルト、例えば伸張ボルトを含んでいる。上述した構成部品は、外側もしくは内側を一周するプロフィールと、本発明に係る原理に基づいたねじとを有している。上述した定義によれば、ホイールハブ又はホイールハブアダプタあるいはボルトは、それぞれ本発明に係る安全固定システムの第１の構成部品に相当する。テンションナットは、本発明に係る安全固定システムの第２の構成部品に相当する。ホイールハブの他の形態において、ホイールハブは第２の構成部品又は第２の構成部品配置にも相当し、その場合に第２の構成部品配置はフランジ（ホイールディスク）と軸から構成することができる。
【００３５】
本発明の他の特徴と利点が、図面に関連する実施例についての以下の説明から明らかにされる。その場合に個々の特徴はそれ自体でも、互いに組み合わせても実現することができる。
【図面の簡単な説明】
【００３６】
【図１Ａ】図１Ａは、本発明に係る安全固定システムの第１の実施形態をそれぞれ２つの視点の一つで示す分解斜視図である（部分図Ａ）。
【図１Ｂ】図１Ｂは、本発明に係る安全固定システムの第１の実施形態をそれぞれ２つの視点の一つで示す分解斜視図である（部分図Ｂ）。
【図２Ａ】図２Ａは、本発明に係る安全固定システムの他の実施形態の部材をそれぞれ２つの視点の一つで示す斜視図である（部分図Ａ）。
【図２Ｂ】図２Ｂは、本発明に係る安全固定システムの他の実施形態の部材をそれぞれ２つの視点の一つで示す斜視図である（部分図Ｂ）。
【図３Ａ】図３Ａは、本発明に係る安全固定システムの他の実施形態の部材をそれぞれ２つの視点の一つで示す斜視図である（部分図Ａ）。
【図３Ｂ】図３Ｂは、本発明に係る安全固定システムの他の実施形態の部材をそれぞれ２つの視点の一つで示す斜視図である（部分図Ｂ）。
【図４Ａ】図４ＡとＢは、本発明に係る安全固定システムの他の実施形態の部材をそれぞれ２つの視点の一つで示す斜視図である（部分図Ａ）。
【図４Ｂ】図４ＡとＢは、本発明に係る安全固定システムの他の実施形態の部材をそれぞれ２つの視点の一つで示す斜視図である（部分図Ｂ）。
【図５Ａ】図５Ａは、本発明に係る安全固定システムの他の実施形態の部材をそれぞれ２つの視点の一つで示す斜視図である（部分図Ａ）。
【図５Ｂ】図５Ｂは、本発明に係る安全固定システムの他の実施形態の部材をそれぞれ２つの視点の一つで示す斜視図である（部分図Ｂ）。
【図６】図５に示す安全固定システムの断面図である。
【図７Ａ】図７Ａは、本発明に係る安全固定システムの他の実施形態の部材をそれぞれ２つの視点の一つで示す斜視図である（部分図Ａ）。
【図７Ｂ】図７Ｂは、本発明に係る安全固定システムの他の実施形態の部材をそれぞれ２つの視点の一つで示す斜視図である（部分図Ｂ）。
【図８Ａ】図８Ａは、本発明に係る安全固定システムの他の実施形態の部材をそれぞれ２つの視点の一つで示す斜視図である（部分図Ａ）。
【図８Ｂ】図８Ｂは、本発明に係る安全固定システムの他の実施形態の部材をそれぞれ２つの視点の一つで示す斜視図である（部分図Ｂ）。
【図９Ａ】図９Ａは、本発明に係る安全固定システムの他の実施形態の部材をそれぞれ２つの視点の一つで示す斜視図である（部分図Ａ）。
【図９Ｂ】図９Ｂは、本発明に係る安全固定システムの他の実施形態の部材をそれぞれ２つの視点の一つで示す斜視図である（部分図Ｂ）。
【図１０Ａ】図１０Ａは、本発明に係る安全固定システムの他の実施形態の部材をそれぞれ２つの視点の一つで示す斜視図である（部分図Ａ）。
【図１０Ｂ】図１０Ｂは、本発明に係る安全固定システムの他の実施形態の部材をそれぞれ２つの視点の一つで示す斜視図である（部分図Ｂ）。
【図１１】本発明に係る安全固定装置のプロフィール構造の種々の形態を図式的に示している。
【図１２】可能なプロフィール構造のための他の例を示している。
【図１３】本発明に係るホイールハブアダプタを示す斜視図である。
【図１４】本発明に係るホイールハブを示す斜視図である。
【図１５】自動車車輪においてセントラルロックを安全固定するための本発明に係る安全固定システムの部材を示す分解斜視図である。
【図１６】ボルトを安全固定するための本発明に係る安全固定システムの部材を示す分解斜視図である。
【図１７Ａ】図１７Ａは、図１６に示す安全固定システムを安全固定部材なしで示している。
【図１７Ｂ】図１７Ｂは図１６に示す安全固定システムを安全固定部材及び付加的な溝リングとともに示している。
【図１８Ａ】図１８Ａは、図１６に示す安全固定システムの断面図である。
【図１８Ｂ】図１８Ｂは、図１６に示す安全固定システムの断面図である。
【図１９】自動車車輪におけるセントラルロックの他の形態を安全固定するための本発明に係る安全固定システムの部材を示す分解斜視図である。
【図２０】図１９に示す安全固定システムの断面図である。
【発明を実施するための形態】
【００３７】
図１Ａ、Ｂは、本発明に係る安全固定システムの種々の部材を２つの視点（部分図１Ａと１Ｂ）において分解斜視図で示している。安全固定システムのためのこの例は、第１の構成部品２０、例えば軸端部、第２の構成部品３０、例えばユニオンナット及びリング形状の安全固定部材１０を有している。さらに固定ボルト７０が設けられている。第１の構成部品２０は、中央の領域内に外ねじ２３を有している。第２の構成部品３０は、対応する内ねじ３３を有しているので、第２の構成部品３０、例えばユニオンナットは、第１の構成部品２０上に螺合することができる。このねじ結合によって、第１の構成部品２０に固定すべき、例えば回転する構成部品（図示せず）を固定することができる。このねじ結合を安全固定するために、構成部品２０、３０は、リング形状の安全固定部材１０によってねじ結合をロックすることを許す構造を有している。この構造は、第１の構成部品２０に関しては、この例において末端にある領域内に配置されている、外側を一周するプロフィール２１である。第２の構成部品３０に関してこの構造は、この例において末端に位置する領域内に配置されている、内側において一周するプロフィール３２である。第１の構成部品２０の外側を一周するプロフィール２１は、周において外ねじ２３を有する領域よりも小さい。第２の構成部品３０が第１の構成部品２０上に螺合された場合に、第２の構成部品３０の内側を一周するプロフィール３２と第１の構成部品２０の外側を一周するプロフィール２１との間に安全固定間隙が形成され、その中へ安全固定部材１０が挿入される。その場合に安全固定部材１０は、ある意味において、相補的な構造を備えた、したがって外側を一周するアウタープロフィール１１とリング形状の安全固定部材の内側を一周するインナープロフィール１２とを備えた、カラーを有している。これらの構造は、この表示においては、安全固定部材１０の下方の末端側の領域内に位置している。安全固定部材１０のアウタープロフィール１１のプロフィールユニット（ＰＦＥ）の数は、第２の構成部品３０の内側を一周するプロフィール３２のＰＦＥの数に相当し、インナープロフィール１２のＰＦＥの数は、第１の構成部品２０の外側を一周するプロフィール２１のＰＦＥの数に相当する。本発明に係る安全固定部材１０もしくは安全固定システムの機能にとって重要なことは、安全固定部材１０のアウタープロフィール１１とインナープロフィール１２のＰＦＥの数が、少なくとも１つ異なることであって、その場合に第１の構成部品２０と第２の構成部品３０のプロフィールの数は、同様である。安全固定部材を取り付ける場合に、安全固定部材１０は、正しい嵌め合いで係止されるまでの間、第１の構成部品２０と第２の構成部品３０の間に形成された安全固定間隙（リングギャップ）内へ挿入されて、回動され、かつ新たに挿入されるので、第１の構成部品２０と第２の構成部品３０の間のねじ結合がロックされる。安全固定部材１０の位置を固定するために、ねじボルト７１を有する固定ねじ７０が設けられている。固定ねじ７０は、第１の構成部品２０の内ねじ２５内へ終端を形成するように挿入される。
【００３８】
図２Ａ、Ｂ−５Ａ、Ｂは、軸の端部における、したがって軸端部における、ねじ結合を安全固定するための本発明に係る安全固定システムの形態を、それぞれ２つの斜視図で示している（部分図ＡとＢ）。その場合に図２は、まず、第１の構成部品１２０を示しており、それに他の構成部品１５０が固定されている。他の構成部品１５０は、例えば回転運動のために設けられた構成部品、例えば車輪又は類似したものとすることができ、それが軸端部形状の第１の構成部品１２０上に固定される。他の構成部品１５０が第１の構成部品１２０上に取り付けられて、ナット（第２の構成部品１３０）によって固定され、その場合にこの固定が本発明に係る安全固定システムによって安全固定される。図１の構成部品２０と比較可能に、第１の構成部品１２０の末端側の部分内に外ねじ１２３が、そして終端を形成するように外側を一周する波形のプロフィール１２１が設けられている。第１の構成部品１２０のこの末端側の部分の前側に、内ねじを備えた袋穴状の凹部１２４が設けられており、その内ねじが、安全固定部材を後にさらに後述するように安全固定するために用いられる。図３は、第１の構成部品１２０に加えて、テンションナットの形式の第２の構成部品１３０を示している。構成部品１３０（テンションナット）は、ここでは見えない内ねじを介して第１の構成部品１２０の外ねじ１２３上に螺合される。第２の構成部品１３０は、末端側の領域内の内側において内側を一周するプロフィール１３２を有している。第２の構成部品１３０の内側を一周するプロフィール１３２は、第１の構成部品１２０の外側を一周するプロフィール１２１と共に、組み立てられた状態において安全固定間隙１６０を形成する。この安全固定部間隙１６０の幾何学配置又は形状は、プロフィールの個々のＰＦＥの互いに対する具体的な位置に関して、予測できない。というのは、それらは第１の構成部品１２０上の第２の構成部品１３０の具体的な位置に依存しているからである。図４は、この表示において下方の部分（カラー）内に外側を一周するアウタープロフィール１１１と内側を一周するインナープロフィール１１２とを有する、安全固定部材１１０が安全固定間隙１６０内にどうように挿入されるか、を示している。そのために安全固定部材１１０は、正確な嵌め合いで係止されるまで、安全固定間隙１６００内へ挿入され、回動されて、再び挿入される。この表示から明らかなように、安全固定部材１１０のアウタープロフィール１１１のＰＦＥの数は、インナープロフィール１１２のＰＦＥの数とは異なる。この例においては、アウタープロフィール１１１内のプロフィールユニットは１５であり、インナープロフィール１１２内のプロフィールユニットは１８である。他の、特に好ましい実施例においては、例えば内側もしくは外側に１７もしくは１８のプロフィールユニットを設けることができる。それに応じて第２の構成部品１３０の内側を一周するプロフィール１３２のＰＦＥの数と、第１の構成部品１２０の外側を一周するプロフィール１２１のＰＦＥの数は、適合されている。安全固定部材１１０が安全固定間隙１６０内に正しい嵌め合いで係止された場合に、第１の構成部品１２０と第２の構成部品１３０の間のねじ結合は、ロックされ、かつ確実に安全固定されている。図５は、安全固定システム５００を完全に取り付けられた状態において示している。その場合にさらに、安全固定ねじ１７０が示されており、その安全固定ねじはこの形態において、例えば操作工具を作用させるための内六角エッジを有している。この安全固定ねじ１７０は、図２に認められる、第１の構成部品１２０の袋穴状の凹部１２４の内ねじ内へねじ込まれるので、安全固定部材１１０も安全固定され、かつ位置固定される。
【００３９】
図６は、図５の安全固定システム５００を、該当する名称をもって断面で示している。
【００４０】
図７Ａ、Ｂ−１０Ａ、Ｂは、本発明に係る安全固定システムの他の可能な形態を、それぞれ２つの斜視図で示しており（部分図ＡとＢ）、その場合に他の構成部品２５０がつながった軸２２０上に固定されて、確保されている。図７は、第１の構成部品としてのつながった軸２２０を示している。この軸に、他の構成部品２５０、例えばホイールが固定される。このホイールの固定は、ねじ結合によって行われ、そのねじ結合が本発明に基づいて安全固定される。そのために軸２２０は、他の構成部品２５０に隣接する領域内に外ねじ２２３とそれに連続する、外側を一周するプロフィール２２１を備えた領域とを有している。外側を一周するプロフィールを有する領域は、周において、外ねじ１２３を有する領域よりも小さい。外側を一周するアウタープロフィール２２１に対して距離をおいて、一周するノッチもしくは溝２２４が設けられており、それは、後に説明するように、本発明に係る安全固定部材を確保するために用いられる。図８は、つながった軸の形式の第１の構成部品２２０とそれに固定されている構成部品２５０の他に、第２の構成部品２３０を示しており、それは安全固定システムの構成要素である。図３の表示と比較可能に、第２の構成部品２３０はテンションナットの形式で形成されており、そのテンションナットは内側を一周するプロフィール２３２を有している。プロフィール２３２は、第１の構成部品２２０の外側を一周するプロフィール２２１と共に安全固定間隙２６０を形成し、その中へ安全固定部材２１０（図９）が挿入される。図４を用いて説明したのと同様に、安全固定部材２１０は安全固定間隙２６０内へ挿入され、かつ、正確な嵌め合いで係止され、したがって第１の構成品２２０と第２の構成部品２３０との間のねじ結合がロックされるまで、回動される。図１０は、安全固定システム９００の取り付けが完了した状態を示している。安全固定部材２１０を軸方向に位置固定するために、溝リング２７０（スナップリング）が設けられており、それが第１の構成部品２２０（図７）のノッチ２２４内へ嵌入する。
【００４１】
図１１は、本発明に係る安全固定システムのプロフィール構造の幾何学配置の可能性を図式的に示している。それぞれプロフィール構造の上面と斜め上からの視点で示されている。符号４１０で示す例は、波形の構造を示しており、その場合に内側に位置する構成部品４１２の外側を一周するプロフィール４１１も、外側に位置する構成部品４１４の内側を一周するプロフィール４１３も、９もしくは１０のプロフィールユニットをもって波形に形成されている。プロフィール４１１とプロフィール４１３の間に安全固定間隙が形成され、その中へ本発明に係る安全固定部材が挿入される。参照符号４２０は、プロフィール構造の可能な幾何学配置の他の例を示している。内側に位置する構成部品４２２の外側を一周するプロフィール４２１は、原理的に波形に形成されている。外側に位置する構成部品４２４の内側を一周するプロフィール４２３は、菱形に形成されている。参照符号４３０で示す例は、プロフィール構造を形成するための他の可能性を示している。図１２に示す例４７０、４８０、４９０、５１０、５２０、５３０、５４０、５５０、５６０、５７０、５８０、５９０、６１０、６２０、６３０は、プロフィールを形成するための他の原理的な可能性を示唆しており、その場合に図示される形状は、安全固定部材のインナープロフィールにもアウタープロフィールにも、そして第１と第２の構成部品の該当するプロフィールにも使用することができる。図示されるパターンは、原理的に互いに任意に組み合わせることができ、かつ他のパターンも、同様に可能である。
【００４２】
図１３は、ホイールハブアダプタ７２０を示しており、これは、本発明に係る安全固定システム内で使用するように整えられている。ホイールハブアダプタ７２０は、例えば標準ハブディスクと共に使用することができる。ホイールハブアダプタ７２０は、中央に張り出す中空円筒状の突出部上に外ねじ７２３を有している。外ねじ７２３に連続して、突出部の末端側の部分上に外側を一周するプロフィール７２１が設けられている。さらに、切り欠き（孔）７２８が設けられている；この切り欠きによって、ホイールハブアダプタ７２０をホイールハブに固定することができ、その場合にそのために通常のホイールねじを使用することができる。図１５を用いて詳しく説明するように、ホイールハブアダプタ７２０に他の構成部品としてセントラルロックを有するリムを固定することができる。
【００４３】
図１４は、ホイールハブ８２０を示しており、そのホイールハブは本発明に係る安全固定システム内で使用するように整えられている。ホイールハブ８２０は、通常の自動車車輪を固定するのに適しており、その場合に自動車車輪はセントラルロックによって固定され、そのセントラルロックが本発明に従って安全固定される。ホイールハブ８２０は、中央に張り出す中空円筒状の突出部上に外ねじ８２３を有している。外ねじに続いて突出部の末端側の部分に外側を一周するプロフィール８２１が設けられている。ホイールハブ８２０には、他の構成部品として自動車車輪（図示せず）のリムをセントラルロックによって固定することができ、その場合にテンションナット（セントラルロック−図示せず）が螺合され、そのテンションナットが外側を一周するプロフィール８２１と共に安全固定間隙を形成し、その中へ、ねじ結合をロックするために本発明に係るリング形状の安全固定部材（図示せず）が挿入される。
【００４４】
図１５は、ホイールハブアダプタ７２０における自動車車輪９５０の固定を分解斜視図で示しており、その場合に自動車車輪９５０もしくは自動車車輪９５０のリムがセントラルロックとしての本発明に従って整えられたテンションナット９３０によって固定される。構成部品７２０と９３０の寸法は、組み合わされた状態においてテンションナット９３０の内側を一周するプロフィール９３２と、ホイールハブアダプタ７２０の外側を一周するプロフィール７２１との間に安全固定間隙が形成されるように選択されており、その安全固定間隙内へ安全固定部材９１０が本発明に従って挿入されるので、ホイールハブアダプタ７２０とテンションナット９３０との間のねじ結合がロックされて、安全固定される。安全固定部材９１０自体の位置固定は、他の安全固定ねじ９７０によって行われ、その安全固定ねじは安全固定部材９１０の取り付け後にホイールハブアダプタ７２０の内ねじ７７０内の中央にねじを介して螺合される。
【００４５】
図１６は、ボルト１０２０を安全固定するための本発明に係る安全固定システムの適用を分解斜視図で示しており、そのボルトは、上で説明した主旨における第１の構成部品である。図１７ＡとＢはシステムを上面で示しており、図１８ＡとＢはこのシステムを断面で（拡大表示して）示している。本発明に係るシステムの種々の部材は、図１６−１８において、同一の参照符号を有している。ボルト１０２０は、外ねじ１０２３によって第２の構成部品配置１０３０、１０４０の認識できない内ねじ内へ螺合されるように、設けられている。この例において、第２の構成部品配置はホイールハブであって、そのホイールハブがフランジ１０３０（ホイールディスク）と軸１０４０によって形成される。フランジ１０３０は、例えば詳しく図示されないマルチギアリングによって軸１０４０上に取り付けられる。軸１０４０には内ねじが形成されており、その場合にフランジ１０３０がボルト１０２０によって軸に固定される。外ねじ１０２３を有するボルト１０２０が、フランジ１０３０を通して軸４０の内ねじ内へ挿入される。ねじ結合は、本発明に係る安全固定システムによってロックされて、安全固定される。そのために、ボルト１０２０は、そのヘッド領域内に、末端側に配置された外側を一周するプロフィール１０２１を有している。この外側を一周するプロフィール１０２１は、ボルトヘッドの末端側の外周を形成する。ボルトヘッドは、付加的に内側六稜１０２５を有しており、それはねじ工具を嵌入させるために設けられている。外側を一周するプロフィール１０２１を有する領域の下方に、円形のストッパプレート１０２６が設けられており、そのストッパプレートはボルトヘッドの下方の終端を形成し、かつ周面において外側を一周するプロフィール１０２１の領域を越えて張り出している。第２の構成部品配置１０３０、１０４０の構成要素としてのフランジ１０３０は、末端側の中央の中空円筒状の領域１０３５を有しており、その領域には、本発明に係る原理に基づいて内側を一周するプロフィール１０３２が形成されている。ボルト１０２０を軸１０４０の内ねじ内へ挿入し、かつボルト１０２０をフランジ１０３０内へストッパプレート１０２６が添接するまで下降させた場合に、フランジ１０４０の内側を一周するプロフィール１０３２とボルト１０２０の外側を一周するプロフ１０２１との間に安全固定間隙１０６０が形成され、その安全固定間隙が、図１７Ａの安全システムの上面図において認識可能である。安全固定間隙１０６０内へ安全固定部材１０１０が挿入され、その場合に外側を一周するプロフィール１０１１のＰＦＥの数と図１６では認識できない安全固定部材１０１０のインナープロフィールのＰＦＥの数は、フランジ１０３０の内側を一周するプロフィール１０３２もしくはボルト１０２０の外側を一周するプロフィール１０２１のＰＦＥの数に相当する。本発明によれば、安全固定部材１０１０のアウタープロフィール１０１１とインナープロフィールのＰＦＥの数は、少なくとも１つ、この例においては１５もしくは１６プロフィールユニットだけ異なる。安全固定部材１０１０の位置を固定するために、溝リング１０７０がフランジ１０３０の中央の中空円筒状の領域１０３５の内側領域内の一周する溝１０３４内へ挿入される。図１７Ｂは、システムの取り付けられた状態を上面で示しており、その場合に溝リング１０７０が認識可能である。溝リング１０７０の代わりに、例えばねじリング又は同種のものを使用することができる。安全固定部材１０１０の取り外しを容易にするために、安全固定部材１０１０は、内ねじを備えた中心穴１０１５を有することができ、その中心穴は例えばねじロッドもしくは打撃ハンマーを取り付けかつ取り外すのに適している。
【００４６】
図１９は、自動車車輪用のセントラルロックのための本発明に係る安全固定システムの他の適用を分解斜視図で示している。表示は左から右へ向かって、ホイールハブ２０４０、ブレーキディスク２０６０の一部、５本の連動ボルトを有するホイールハブアダプタ２０２０、リム２０５０（部分的にのみ示されている）、テンションナット２０３０、本発明に係る安全固定部材２０１０、スナップリング２０７０及びカバープレート２０８０である。安全固定部材２０１０は、この形態においては、アウタープロフィール２０１１とインナープロフィール２０１２が安全固定部材２０１０の異なる平面上に、したがってある程度階段形状に、配置されるようにして実現されている。その場合にアウタープロフィール２０１１は、インナープロフィール２０１２よりも大きい円周上に延びている。同様にして、テンションナット２０３０とホイールハブアダプタ２０２０（第１もしくは第２の構成部品）における正反対のプロフィールは、これらの構成部品を組み合わせた状態において同様に２つの平面上にあるので、安全固定部材２０１０は同様に挿入することができ、かつテンションナット２０３０とホイールハブアダプタ２０２０の間の結合をロックする。したがって、本発明に係る安全固定システムのこの形態において、第１と第２の構成部品の外側もしくは内側を一周するプロフィールの位置は、特に、構成部品を組み合わせた状態においてその中央の方向付けに関するプロフィールの位置に関するものである。図１６に示す形態と比較可能に、安全固定部材２０１０自体はスナップリング２０７０（溝リング）によって確保することができ、ホイール閉鎖はカバープレート２０８０によって終端を形成される。図２０は、この安全固定システムの一部を断面で示している。図には、同一の参照符号が設けられている。
【図１Ａ】
2018500527.tif 000003
【図１Ｂ】
2018500527.tif 000004
【図２Ａ】
2018500527.tif 000005
【図２Ｂ】
2018500527.tif 000006
【図３Ａ】
2018500527.tif 000007
【図３Ｂ】
2018500527.tif 000008
【図４Ａ】
2018500527.tif 000009
【図４Ｂ】
2018500527.tif 000010
【図５Ａ】
2018500527.tif 000011
【図５Ｂ】
2018500527.tif 000012
【図６】
2018500527.tif 000013
【図７Ａ】
2018500527.tif 000014
【図７Ｂ】
2018500527.tif 000015
【図８Ａ】
2018500527.tif 000016
【図８Ｂ】
2018500527.tif 000017
【図９Ａ】
2018500527.tif 000018
【図９Ｂ】
2018500527.tif 000019
【図１０Ａ】
2018500527.tif 000020
【図１０Ｂ】
2018500527.tif 000021
【図１１】
2018500527.tif 000022
【図１２】
2018500527.tif 000023
【図１３】
2018500527.tif 000024
【図１４】
2018500527.tif 000025
【図１５】
2018500527.tif 000026
【図１６】
2018500527.tif 000027
【図１７Ａ】
2018500527.tif 000028
【図１７Ｂ】
2018500527.tif 000029
【図１８Ａ】
2018500527.tif 000030
【図１８Ｂ】
2018500527.tif 000031
【図１９】
2018500527.tif 000032
【図２０】
2018500527.tif 000033
【国際調査報告】
2018500527.tif 000034
2018500527.tif 000035
2018500527.tif 000036
2018500527.tif 000037